(57)【要約】【課題】  正規空気圧での通常走行時における車両の乗り心地が損なわれることを防止でき、且つ、従来に比してランフラット走行時の耐久性を向上させる。【解決手段】  サイドゴム層２４の内側に断面形状が三日月状に構成されたサイド補強ゴム層２６が備えられた空気入りタイヤ１０において、サイドゴム層２４のランフラット走行時における最大屈曲部Ｃよりもタイヤ径方向内側の位置の外側面には、タイヤ軸方向外側に突出すると共にタイヤ周方向に沿って環状に延びる突条体により構成されたリムガード３２が形成され、リムガード３２には、タイヤ幅方向外側に開口すると共にタイヤ周方向に沿って延びる溝部３４が形成されている。ランフラット走行時には溝部３４が閉じてタイヤ径方向の剛性が高まる一方で、正規空気圧での通常走行時には溝部３４が開くことにより乗り心地が損なわれない。【選択図】  図１
2006168499.tif 000002
【特許請求の範囲】
【請求項１】
タイヤ周方向に沿って延びる一対のビードコアと、
前記一対のビードコア間にトロイダル状に跨ると共にタイヤ幅方向両端側の部分が前記一対のビードコアのそれぞれに係止されたカーカスと、
前記カーカスのタイヤ径方向外側に設けられてトレッド部を構成するトレッドゴム層と、
前記カーカスのタイヤ軸方向外側に設けられてタイヤサイド部を構成するサイドゴム層と、
前記サイドゴム層の内側にタイヤ周方向に沿って環状に設けられると共にタイヤ回転軸方向に沿って切断した断面形状が三日月状に構成されたサイド補強ゴム層と、
を備えた空気入りタイヤにおいて、
前記サイドゴム層の外側面には、タイヤ軸方向外側に突出すると共にタイヤ周方向に沿って環状に延びる突条体により構成されたリムガードが形成され、
前記リムガードには、タイヤ幅方向外側に開口すると共にタイヤ周方向に沿って延びる溝部が形成されていることを特徴とする空気入りタイヤ。
【請求項２】
前記リムガードは、前記サイドゴム層のランフラット走行時における最大屈曲部よりもタイヤ径方向内側の位置に形成されていることを特徴とする請求項１に記載の空気入りタイヤ。
【請求項３】
前記リムガードは、タイヤ径方向に延びる複数の分割溝によってタイヤ周方向に分割されていることを特徴とする請求項１又は請求項２に記載の空気入りタイヤ。
【請求項４】
前記リムガードの外表面には、複数の細溝状のスリットが形成されていることを特徴とする請求項１乃至請求項３のいずれか一項に記載の空気入りタイヤ。
【請求項５】
規格で定める適用サイズ・プライレーティング最大負荷能力に対応する空気圧（最大空気圧）のもとで、前記規格で定める適用サイズ・プライレーティング最大負荷能力に相当する負荷を付加したときのタイヤ赤道面でのタイヤ半径方向の変形量／タイヤ幅方向の変形量を撓み比としたときに、前記溝部の溝幅は、１．２×正規空気圧充填時の撓み比＜溝幅＜３．４×ランフラット走行時の撓み比を満足するように設定されていることを特徴とする請求項１乃至請求項４のいずれか一項に記載の空気入りタイヤ。
【発明の詳細な説明】
【技術分野】
【０００１】
本発明は、空気入りタイヤに係り、特に、パンク等によりタイヤの空気圧が低下しても一定距離の走行を可能にする構成を備えた空気入りタイヤに関する。
【背景技術】
【０００２】
従来より、パンク等によりタイヤの空気圧が低下しても、一定距離の走行を可能にする構成を備えたタイヤ空気入りタイヤとして、いわゆるランフラットタイヤが知られている。
【０００３】
この種のランフラットタイヤとしては、例えば、タイヤサイド部の内側のビード部からショルダー部に至る領域にかけて断面三日月状のサイド補強ゴム層を設けることにより、タイヤサイド部を補強するようにしたサイド補強タイプがある（例えば、特許文献１参照）。
【０００４】
この種のランフラットタイヤによれば、タイヤサイド部の内側に断面三日月状のサイド補強ゴム層が設けられているので、パンク等によりタイヤの空気圧が低下しても、サイド補強ゴム層がランフラット走行時における車体重量を支持するので、タイヤサイド部のタイヤ幅方向外側への膨出変形、及び、ビード部の倒れ込み変形等を抑制することができ、ある程度の距離を走行することが可能である。
【０００５】
ところが、上述のように、サイド補強タイプのランフラットタイヤにおいては、タイヤサイド部の変形を抑制することによってランフラット走行を可能にする一方で、ランフラット走行時におけるタイヤ径方向の剛性を確保するためには、サイド補強ゴム層を厚くする必要があった。
【０００６】
このようにサイド補強ゴム層を厚くすると、タイヤ重量が増大するため、これにより、転がり抵抗が増加し、車両の燃費が悪化するという問題があった。また、サイド補強ゴム層を厚くしてタイヤ径方向の剛性を高めると、正規空気圧での通常走行時に路面からの振動がタイヤを通じて車両側へ伝わりやすくなるために、正規空気圧での通常走行時の車両の乗り心地が悪化するという問題があった。
【０００７】
そこで、上記問題のうち、正規空気圧での通常走行時に車両の乗り心地低下を改善することを目的として、サイド補強ゴム層に織布状のインサート部材（ウェッジインサートスティフナ）を埋設したランフラットタイヤが提案されている（特許文献２参照）。
【０００８】
この特許文献２に記載の例によれば、サイド補強ゴム層に埋設した織布状のインサート部材の物性（例えば、タイヤ径方向の剛性、引張り応力支持特性など）と共に適切なサイドウォールウェッジゲージ分布を設計することによって正規空気圧での通常走行時の乗り心地の低下を抑制することが可能とされている。
【０００９】
一方、タイヤ重量の増加を抑えつつランフラット走行時のタイヤ径方向の剛性を高める技術としては、ランフラットタイヤのタイヤサイド部にリムガードを形成したものがある（例えば、特許文献３、４参照）。
【００１０】
この種のリムガードをタイヤサイド部に備えたランフラットタイヤによれば、タイヤサイド部に設けられた既存の構成であるリムガードによってタイヤサイド部に厚みを持たすことができるので、ランフラット走行時に車両を支持するに十分なタイヤ径方向の剛性を得ることが可能とされている。また、既存の構成であるリムガードを用いるため、ランフラット走行時に車両を支持するに十分なタイヤ径方向の剛性を得るためのタイヤ重量の増加を必要最小限に留めることができるとされている。
【特許文献１】特開２００１−３１５５１０
【特許文献２】特表２００２−５３６２２５
【特許文献３】特開平１１−１９２８２２号公報
【特許文献４】特開２００４−２９９６７０
【発明の開示】
【発明が解決しようとする課題】
【００１１】
しかしながら、上記従来の技術では、以下の問題がある。つまり、特許文献２に記載のように、サイド補強ゴム層に織布状のインサート部材（ウェッジインサートスティフナ）を埋設したランフラットタイヤでは、サイド補強ゴム層にインサート部材を埋設したことによる部材追加に伴ってタイヤ重量が増加し、車両の燃費が悪化するという問題があった。
【００１２】
また、特許文献３、４に記載のように、リムガードによってランフラット走行時のタイヤ径方向の剛性を高める技術では、リムガードを備えたことによって正規空気圧での通常走行時においてもタイヤ径方向の剛性が高くなる。従って、正規空気圧での通常走行時には路面からの振動がタイヤを通じて車両側へ伝わりやすくなるために車両の乗り心地が悪化するという問題があった。
【００１３】
また、上記各従来技術に共通な問題として、タイヤがある程度に撓んだ状態で走行させるランフラットタイヤにおいては、ランフラット走行時にタイヤが接地する毎に撓みが生じることによってタイヤサイド部の最大屈曲部付近が変形を繰り返すため、この最大屈曲部付近に熱が発生すると共にクラックが生じることがあった。
【００１４】
また、ランフラット走行時のタイヤの転動に伴う踏み蹴りによってタイヤが周方向に変形し、これによっても、タイヤサイド部の最大屈曲部付近に熱が発生すると共にクラックが生じることがあった。このため、ランフラット走行時におけるタイヤの耐久性を向上させて、ランフラット走行による走行可能距離を伸長させることが課題となっていた。
【００１５】
本発明は、上記事情を鑑みてなされたものであり、その目的は、車両の燃費の悪化することを防止することができると共に、正規空気圧での通常走行時における車両の乗り心地が損なわれることを防止でき、且つ、従来に比してランフラット走行時の耐久性を向上させて、ランフラット走行による走行可能距離を伸長させることが可能な空気入りタイヤを提供することにある。
【課題を解決するための手段】
【００１６】
上記課題を解決するために、請求項１に記載の発明は、タイヤ周方向に沿って延びる一対のビードコアと、前記一対のビードコア間にトロイダル状に跨ると共にタイヤ幅方向両端側の部分が前記一対のビードコアのそれぞれに係止されたカーカスと、前記カーカスのタイヤ径方向外側に設けられてトレッド部を構成するトレッドゴム層と、前記カーカスのタイヤ軸方向外側に設けられてタイヤサイド部を構成するサイドゴム層と、前記サイドゴム層の内側にタイヤ周方向に沿って環状に設けられると共にタイヤ回転軸方向に沿って切断した断面形状が三日月状に構成されたサイド補強ゴム層と、を備えた空気入りタイヤにおいて、前記サイドゴム層の外側面には、タイヤ軸方向外側に突出すると共にタイヤ周方向に沿って環状に延びる突条体により構成されたリムガードが形成され、前記リムガードには、タイヤ幅方向外側に開口すると共にタイヤ周方向に沿って延びる溝部が形成されていることを特徴とするものである。
【００１７】
次に、請求項１に記載の発明の作用について説明する。
【００１８】
請求項１に記載の空気入りタイヤでは、上述のように、サイドゴム層の外側面にタイヤ軸方向外側に突出すると共にタイヤ周方向に沿って環状に延びる突条体により構成されたリムガードが形成され、このリムガードにタイヤ幅方向外側に開口すると共にタイヤ周方向に沿って延びる溝部が形成されている。従って、この構成により、正規空気圧での通常走行時には、タイヤに正規空気圧が充填されることによってタイヤサイド部が略平面状となるので、リムガードの溝部が開いた状態に維持される。
【００１９】
この状態では、リムガードの溝部を挟んだ両側に形成された一対の突条部が離間しているので、リムガードがタイヤ径方向の剛性の向上に貢献することは無い。従って、タイヤが路面の凹凸を乗り越えた場合でも、ランフラットタイヤではない通常のタイヤと同様に、路面の凹凸による衝撃をタイヤにて十分に吸収することができるので、これにより、正規空気圧での通常走行時における乗り心地が損なわれることを防止することができる。
【００２０】
一方、タイヤがパンクして撓んだときには、このタイヤの撓み（タイヤがタイヤ径方向に変形すると共にタイヤ幅方向に変形すること）に伴ってリムガードの溝部が閉じた状態となる。つまり、リムガードの溝部を挟んだ両側に形成された一対の突条部が強く当接して互いにタイヤ径方向に支え合うようになり、ランフラット走行時におけるタイヤ径方向の剛性が高められた状態となる。
【００２１】
このように、本発明では、ランフラット走行時にサイド補強ゴム層によって支えられているタイヤ径方向の剛性がリムガードによってさらに高められるので、従来のようにサイド補強ゴム層のみによってタイヤサイド部を支持する構成に比して、ランフラット走行時におけるタイヤ径方向の剛性を高めることができる。
【００２２】
従って、ランフラット走行時のタイヤの撓み量を最小限に抑えることができるので、ランフラット走行に伴ってタイヤサイド部にて繰り返し変形される部分の発熱量やクラックの発生量を従来に比して低減させることができる。
【００２３】
これにより、従来に比してランフラット走行時の耐久性を向上させることができるので、ランフラット走行による走行可能距離を伸長させることができる。
【００２４】
また、リムガード自体はタイヤに既存の構成であるため、サイド補強ゴム層の他にタイヤ径方向の剛性を高めるための部材（例えば、インサート部材や多層化プライ）を備えた従来の構成のようにタイヤ重量の過度な増加となるものではない。特に、本発明では、リムガードに溝部を設けているので、この溝部を設けた分だけタイヤの軽量化に寄与することができ、これによって、タイヤ径方向の剛性を高める構成を設けたことによる重量増加が必要最小限に抑えられている。従って、タイヤ重量の増加に伴って車両の燃費が悪化することも防止することができる。
【００２５】
ここで、請求項２に記載の発明は、請求項１に記載の空気入りタイヤにおいて、リムガードが、サイドゴム層のランフラット走行時における最大屈曲部よりもタイヤ径方向内側の位置に形成されていることを特徴とするものである。
【００２６】
なお、本発明において、最大屈曲部とは、ランフラット走行時にタイヤが屈曲してその変形量が最大となる部位のことである。
【００２７】
次に、請求項２に記載の発明の作用について説明する。
【００２８】
本発明では、リムガードにタイヤ周方向に延びる溝部を設けることによってリムガードがタイヤ径方向外側に位置する環状の外側突条部とタイヤ径方向内側に位置する環状の内側突条部とに分割されており、溝部が形成された部分よりも外側突条部および内側突条部がそれぞれ形成された部分の方が肉厚でタイヤ周方向変形に対する強度が高められている。
【００２９】
従って、外側突条部および内側突条部がそれぞれ形成された部分のタイヤ周方向への変形が抑制される一方で、溝部が形成された部分は外側突条部および内側突条部が位置する部分よりも肉薄でタイヤ周方向変形に対する強度が低いのでランフラット走行時にタイヤ周方向に変形し易くなる。
【００３０】
そして、本発明では、上述のように、このリムガードの溝部が形成された部分がサイドゴム層のランフラット走行時における最大屈曲部よりもタイヤ径方向内側（タイヤ回転中心軸側）に位置しているので、ランフラット走行時におけるタイヤ周方向への変形がリムガードの溝部を形成した部分にも生じることになる。
【００３１】
従って、ランフラット走行時におけるタイヤ周方向への変形がタイヤサイド部の最大屈曲部に集中して生じることを防止することができるので、タイヤ周方向への変形に伴う最大屈曲部の発熱量やクラックの発生量を効果的に低減させることができる。
【００３２】
これにより、ランフラット走行時の耐久性をより向上させることができるので、ランフラット走行による走行可能距離をさらに伸長させることができる。
【００３３】
そして、請求項３に記載の発明は、請求項１又は請求項２に記載の空気入りタイヤにおいて、リムガードが、タイヤ径方向に延びる複数の分割溝によってタイヤ周方向に分割されていることを特徴とするものである。
【００３４】
次に、請求項３に記載の発明の作用を説明する。
【００３５】
請求項３に記載の発明のように、リムガードがタイヤ径方向に延びる複数の分割溝によってタイヤ周方向に分割されていると、外気と接触するリムガードの外表面の面積を増加させることができるので、タイヤサイド部にて繰り返し変形される部分で発生した熱をリムガードを介して冷却することができる。
【００３６】
これにより、タイヤサイド部（特に最大屈曲部）の温度を低減することができるので、ランフラット走行時にタイヤサイド部にクラックが生じることを防止することができ、ランフラット走行時におけるタイヤの耐久性をより高めることができる。
【００３７】
また、請求項４に記載の発明は、請求項１乃至請求項３のいずれか一項に記載の空気入りタイヤにおいて、リムガードの外表面に複数のスリットが形成されていることを特徴とするものである。
【００３８】
次に、請求項４に記載の発明の作用を説明する。
【００３９】
請求項４に記載の発明のように、リムガードの外表面に複数の細溝状のスリットが形成されていると、外気と接触するリムガードの外表面の面積をさらに増加させることができるので、タイヤサイド部の放熱効果を高めることができ、これにより、ランフラット走行時におけるタイヤの耐久性をさらに高めることができる。
【００４０】
また、請求項５に記載の発明は、請求項１に乃至請求項４のいずれか一項に記載の空気入りタイヤにおいて、規格で定める適用サイズ・プライレーティング最大負荷能力に対応する空気圧（最大空気圧）のもとで、前記規格で定める適用サイズ・プライレーティング最大負荷能力に相当する負荷を付加したときのタイヤ赤道面でのタイヤ半径方向の変形量／タイヤ幅方向の変形量を撓み比としたときに、溝部の溝幅（溝部における開口部の溝幅）が、１．２×正規空気圧充填時の撓み比＜溝幅＜３．４×ランフラット走行時の撓み比を満足するように設定されていることを特徴とするものである。
【００４１】
ここで、「正規空気圧充填時の撓み比」とは、日本国内では、ＪＡＴＭＡ規格で定める適用サイズ・プライレーティング最大負荷能力に対応する空気圧（最大空気圧）のもとで、ＪＡＴＭＡ規格で定める適用サイズ・プライレーティング最大負荷能力に相当する負荷を付加したときのタイヤ赤道面での“タイヤ半径方向の変形量／タイヤ幅方向の変形量”を示すものである。
【００４２】
また、「ランフラット走行時の撓み比」とは、日本国内では、タイヤ空気圧を０ｋＰａとしたもとで、ＪＡＴＭＡ規格で定める適用サイズ・プライレーティング最大負荷能力に相当する負荷を付加したときのタイヤ赤道面での“タイヤ半径方向の変形量／タイヤ幅方向の変形量”を示すものである。
【００４３】
ただし、使用地又は製造地において、ＴＲＡ規格、ＥＴＲＴＯ規格が適用される場合は各々の規格に従うものとする。
【００４４】
このとき、溝部の溝幅を“１．２×正規空気圧充填時の撓み比以下”とすると、正規空気圧を充填した通常走行時に、溝部が閉じて乗り心地が損なわれる虞がある。
【００４５】
一方、溝部の溝幅を“３．４×ランフラット走行時の撓み比以上”とすると、ランフラット走行時でも溝部が閉じないため、ランフラット走行時にタイヤ径方向の剛性を高めることができず、タイヤの耐久性を向上させることができない虞がある。
【００４６】
そこで、本発明では、上述のように、溝部の溝幅に所定の範囲を設けている。上記の如く設定した溝部の溝幅の範囲は、種々のサイズのタイヤに対しても共通に適用することができるものである。
【発明の効果】
【００４７】
以上詳述したように、本発明によれば、車両の燃費の悪化することを防止することができると共に、正規空気圧での通常走行時における車両の乗り心地が損なわれることを防止でき、且つ、従来に比してランフラット走行時の耐久性を向上させて、ランフラット走行による走行可能距離を伸長させることが可能である。
【発明を実施するための最良の形態】
【００４８】
以下、本発明の一実施形態について、図を参照して説明する。なお、以下に説明する部材、構成、配置等は、本発明を限定するものではなく、本発明の趣旨に沿って各種改変することができることは勿論である。
【００４９】
（第一実施形態の構成）はじめに、本発明の第一実施形態に係る空気入りタイヤの構成について説明する。図１は本発明の第一実施形態に係るタイヤの構成を示す図である。
【００５０】
本実施形態に係る空気入りタイヤ１０（以下、単にタイヤ１０という）は、例えば高性能乗用自動車用のタイヤとして好適に用いられるものである。タイヤ１０には、タイヤ周方向に沿って延びる一対のビードコア１２が設けられると共に、この一対のビードコア１２間にトロイダル状に跨るようにカーカス１４が設けられている。カーカス１４のタイヤ幅方向両端側の部分は、一対のビードコア１２のそれぞれに内側から外側に巻き上げられるようにして係止されている。
【００５１】
また、カーカス１４のタイヤ径方向外側には、トレッドゴム層２２が設けられており、これにより、本例のタイヤ１０にトレッド部Ａが構成されている。さらに、カーカス１４のタイヤ軸方向外側には、サイドゴム層２４が設けられており、これにより、本例のタイヤ１０にタイヤサイド部Ｂが構成されている。
【００５２】
カーカス１４のタイヤサイド部Ｂに相当する部分のタイヤ内側とインナーライナー２８との間には、タイヤ周方向に沿って環状に構成された高強度ゴムからなるサイド補強ゴム層２６が設けられている。このサイド補強ゴム層２６は、ランフラット走行時にタイヤ径方向の剛性を高めることによって車体重量を支持するためのものであり、タイヤ回転軸方向に沿って切断した断面形状が三日月状に構成されている。
【００５３】
つまり、タイヤサイド部Ｂをトレッドショルダー部Ｂ１とサイドウォール部Ｂ２とビード部Ｂ３に分けたときに、サイド補強ゴム層２６のトレッドショルダー部Ｂ１からサイドウォール部Ｂ２にかけては厚みが徐々に厚くなり、サイド補強ゴム層２６のサイドウォール部Ｂ２からビード部Ｂ３にかけては厚みが徐々に薄くなるように構成されている。
【００５４】
サイドゴム層２４の外側面には、タイヤ軸方向外側に突出すると共にタイヤ周方向に沿って環状に延びる突条体により構成されたリムガード３２が形成されている。本例のリムガード３２は、タイヤ１０が縁石等を乗り越えたときに不図示のホイールのリムが縁石と接触することを防止する役割を果たすと共に、後に詳述するように、タイヤ径方向の剛性を高める役割を果たすものである。このリムガード３２は、サイドゴム層２４のランフラット走行時における最大屈曲部Ｃよりもタイヤ径方向内側（タイヤ回転軸側）の位置に形成されている。
【００５５】
そして、本例のリムガード３２には、タイヤ幅方向外側に開口すると共にタイヤ周方向に沿って延びる断面Ｖ字形状の溝部３４が形成されている。この溝部３４の溝深さは、リムガード３２の突出高さ、すなわち、リムガード３２を除いたタイヤサイド部Ｂの外表面形状（仮想線Ｌ１で示す）からリムガード３２の突出端までの長さ以下に設定されている。
【００５６】
また、この溝部３４は、後述するように、正規空気圧での通常走行時には開いた状態に維持されると共に、ランフラット走行時には閉じた状態となるように、その寸法や形状が設定されている。
【００５７】
なお、本例のリムガード３２に形成された溝部３４の溝幅ａ（断面略Ｖ字状の溝部３４における開口部の溝幅）は、「１．２×正規空気圧充填時の撓み比＜溝幅ａ＜３．４×ランフラット走行時の撓み比」を満足するように設定されている。
【００５８】
ここで、「正規空気圧充填時の撓み比」とは、日本国内では、ＪＡＴＭＡ規格で定める適用サイズ・プライレーティング最大負荷能力に対応する空気圧（最大空気圧）のもとで、ＪＡＴＭＡ規格で定める適用サイズ・プライレーティング最大負荷能力に相当する負荷を付加したときのタイヤ赤道面での“タイヤ半径方向の変形量／タイヤ幅方向の変形量”を示すものである。
【００５９】
また、「ランフラット走行時の撓み比」とは、日本国内では、タイヤ空気圧を０ｋＰａとしたもとで、ＪＡＴＭＡ規格で定める適用サイズ・プライレーティング最大負荷能力に相当する負荷を付加したときのタイヤ赤道面での“タイヤ半径方向の変形量／タイヤ幅方向の変形量”を示すものである。
【００６０】
ただし、使用地又は製造地において、ＴＲＡ規格、ＥＴＲＴＯ規格が適用される場合は各々の規格に従うものとする。
【００６１】
このとき、溝部３４の溝幅ａを“１．２×正規空気圧充填時の撓み比以下”とすると、正規空気圧を充填した通常走行時に、溝部３４が閉じて外側突条部３２ａと内側突条部３２ｂとが強く当接した状態となって乗り心地が損なわれる虞がある。
【００６２】
一方、溝部３４の溝幅ａを“３．４×ランフラット走行時の撓み比以上”とすると、ランフラット走行時でも溝部３４が閉じないため、ランフラット走行時にタイヤ径方向の剛性を高めることができず、タイヤの耐久性を向上させることができない虞がある。
【００６３】
そこで、本例では、上述のように、溝部３４の溝幅ａに所定の範囲を設けている。上記の如く設定した溝部３４の溝幅ａの範囲は、種々のサイズのタイヤに対しても共通に適用することができるものである。
【００６４】
また、本例では、溝部３４の一例として、断面Ｖ字状としたが、本発明はこれに限定されるものではなく、その他にも、溝部３４を断面Ｕ字状としたり、断面台形状、断面矩形状、断面半円形状としたりするなど種々改変することができることは勿論である。
【００６５】
（第二実施形態の構成）次に、本発明の第二実施形態に係る空気入りタイヤの構成について説明する。図２は本発明の第二実施形態に係るタイヤの構成を示す図である。なお、図２に示す本発明の第二実施形態に係るタイヤにおいて、図１に示す本発明の第一実施形態に係るタイヤと同一の構成については同一の符号を用いる。
【００６６】
本発明の第二実施形態に係るタイヤ１１０では、リムガード１３２にタイヤ径方向に延びる複数の分割溝１３６が形成されており、これによって、リムガード１３２がタイヤ周方向に分割された構成となっている。
【００６７】
（第三実施形態の構成）次に、本発明の第三実施形態に係る空気入りタイヤの構成について説明する。図３は本発明の第三実施形態に係るタイヤの構成を示す図である。なお、図３に示す本発明の第三実施形態に係るタイヤにおいて、図１に示す本発明の第一実施形態に係るタイヤと同一の構成については同一の符号を用いる。
【００６８】
本発明の第三実施形態に係るタイヤ２１０では、リムガード２３２にタイヤ径方向に延びる複数のスリット２３６とタイヤ幅方向に延びる複数のスリット２３８が形成されている。
【００６９】
なお、リムガード２３２に形成されたスリット２３６，２３８は、タイヤ径方向およびタイヤ幅方向に延びるものに限らず、タイヤ径方向又はタイヤ幅方向に対して傾斜する方向に延びるように形成されていても良い。
【００７０】
（作用）次に、上記構成からなるタイヤの作用効果について説明する。
【００７１】
本例のタイヤ１０では、上記構成により、正規空気圧での通常走行時には、タイヤ１０に正規空気圧が充填されることによってタイヤサイド部Ｂが略平面状となるので、リムガード３２の溝部３４が開いた状態に維持される。
【００７２】
この状態では、リムガード３２の溝部３４を挟んだ両側に形成された外側突条部３２ａと内側突条部３２ｂとが離間しているので、リムガード３２がタイヤ径方向の剛性の向上に貢献することは無い。従って、タイヤ１０が路面の凹凸を乗り越えた場合でも、ランフラットタイヤではない通常のタイヤと同様に、路面の凹凸による衝撃をタイヤ１０にて十分に吸収することができるので、これにより、正規空気圧での通常走行時における乗り心地が損なわれることを防止することができる。
【００７３】
一方、  本例のタイヤ１０がパンクしてタイヤ空気圧が０ｋＰａになると、図４に示すように、タイヤサイド部Ｂの内側に設けられたサイド補強ゴム層２６がタイヤサイド部Ｂを支持するので、タイヤ１０の撓み（タイヤがタイヤ径方向に変形すると共にタイヤ幅方向に変形すること。以下同じ）が一定量に抑えられる。これにより、本例のタイヤ１０を備えた車両は、ある程度の距離の走行が可能となる（いわゆるランフラット走行が可能となる）。
【００７４】
また、本例のタイヤ１０がパンクして撓むと、図４に示すように、このタイヤ１０の撓みに伴ってリムガード３２の溝部３４が閉じた状態となる。つまり、リムガード３２の溝部３４を挟んだ両側に形成された環状の外側突条部３２ａと同じく環状の内側突条部３２ｂとが強く当接して互いにタイヤ径方向に支え合うようになり、タイヤ径方向の剛性が高められた状態となる。
【００７５】
このように、本例では、ランフラット走行時にサイド補強ゴム層２４によって支えられているタイヤ径方向の剛性がリムガード３２によってさらに高められるので、従来のようにサイド補強ゴム層２４のみによってタイヤサイド部Ｂを支持する構成に比して、ランフラット走行時におけるタイヤ径方向の剛性を高めることができる。
【００７６】
従って、ランフラット走行時のタイヤ１０の撓み量を最小限に抑えることができるので、ランフラット走行に伴ってタイヤサイド部Ｂにて繰り返し変形される部分の発熱量やクラックの発生量を従来に比して低減させることができる。
【００７７】
これにより、従来に比してランフラット走行時の耐久性を向上させることができるので、ランフラット走行による走行可能距離を伸長させることができる。
【００７８】
また、本例では、リムガード３２にタイヤ周方向に延びる溝部３４を設けることによってリムガード３２が環状の外側突条部３２ａと環状の内側突条部３２ｂとに分割されており、溝部３４が形成された部分よりも外側突条部３２ａおよび内側突条部３２ｂがそれぞれ形成された部分の方が肉厚でタイヤ周方向変形に対する強度が高められている。
【００７９】
従って、外側突条部３２ａおよび内側突条部３２ｂがそれぞれ形成された部分のタイヤ周方向への変形が抑制される一方で、溝部３４が形成された部分は外側突条部３２ａおよび内側突条部３２ｂが位置する部分よりも肉薄でタイヤ周方向変形に対する強度が低いのでランフラット走行時にタイヤ周方向に変形し易くなる。
【００８０】
そして、本例では、このリムガード３２の溝部３４が形成された部分がサイドゴム層２４のランフラット走行時における最大屈曲部Ｃよりもタイヤ径方向内側（タイヤ回転中心軸側）に位置しているので、ランフラット走行時におけるタイヤ周方向への変形がリムガード３２の溝部３４を形成した部分にも生じることになる。
【００８１】
従って、ランフラット走行時におけるタイヤ周方向への変形がタイヤサイド部Ｂの最大屈曲部Ｃに集中して生じることを防止することができるので、タイヤ周方向への変形に伴う最大屈曲部Ｃの発熱量やクラックの発生量を効果的に低減させることができる。
【００８２】
これにより、ランフラット走行時の耐久性をより向上させることができるので、ランフラット走行による走行可能距離をさらに伸長させることができる。
【００８３】
また、本例に設けられたリムガード３２自体はタイヤ１０に既存の構成であるため、サイド補強ゴム層２４の他にタイヤ径方向の剛性を高めるための部材（例えば、インサート部材や多層化プライ）を備えた従来の構成のようにタイヤ重量の過度な増加となるものではない。特に、本例では、リムガード３２に溝部３４を設けているので、この溝部３４を設けた分だけタイヤ１０の軽量化に寄与することができ、これによって、タイヤ径方向の剛性を高める構成を設けたことによる重量増加が必要最小限に抑えられている。従って、タイヤ重量の増加に伴って車両の燃費が悪化することも防止することができる。
【００８４】
以上詳述したように、本例のタイヤ１０によれば、車両の燃費の悪化することを防止することができると共に、正規空気圧での通常走行時における車両の乗り心地が損なわれることを防止でき、且つ、従来に比してランフラット走行時の耐久性を向上させて、ランフラット走行による走行可能距離を伸長させることが可能である。
【００８５】
このとき、本発明の第二実施形態のように、リムガード１３２にタイヤ径方向に延びる複数の分割溝１３６が形成され、これによって、リムガード１３２がタイヤ周方向に分割された構成となっていると、外気と接触するリムガード１３２の外表面の面積を増加させることができるので、タイヤサイド部Ｂにて繰り返し変形される部分で発生した熱をリムガード１３２を介して冷却することができる。
【００８６】
これにより、タイヤサイド部Ｂ（特に最大屈曲部）の温度を低減することができるので、ランフラット走行時にタイヤサイド部Ｂにクラックが生じることを防止することができ、ランフラット走行時におけるタイヤ１１０の耐久性をより高めることができる。
【００８７】
特に、本発明の第三実施形態のように、リムガード２３２にタイヤ径方向に延びる複数のスリット２３６とタイヤ幅方向に延びる複数のスリット２３８が形成されていると、外気と接触するリムガード２３２の外表面の面積をさらに増加させることができるので、タイヤサイド部Ｂの放熱効果を高めることができ、これにより、ランフラット走行時におけるタイヤの耐久性をさらに高めることができる。
【００８８】
（試験例）次に、本実施形態に係るタイヤの性能評価について説明する。
【００８９】
本発明の効果を確かめるために、本例のタイヤ１０，１１０，２１０（図１〜３）と従来例のタイヤ３１０（図５）の比較を行う。ここでは、本例のタイヤ１０，１１０，２１０と従来例のタイヤ３１０について、「通常走行時のタイヤ径方向の剛性」、「ランフラット走行時の撓み量」、「ランフラット走行時のタイヤ周方向変形量」、「ランフラット走行時の最大屈曲部の温度」、「ランフラット走行距離」の比較を行う。
【００９０】
なお、本例のタイヤおよび従来例のタイヤは、いずれも２１５／４５／ＺＲ１７のサイズのものを用い、空気圧、アライメント等の車両条件は車両指定のものとする。
【００９１】
また、各タイヤ１０，１１０，２１０のリムガード３２，１３２，２３２の溝部３４の溝幅ａは３ｍｍとしている。この値は、１．２３×正規空気圧充填時の撓み比であると共に、１．４８×ランフラット走行時の撓み比に相当する。
【００９２】
また、従来のタイヤ３１０については、本例のタイヤ１０のリムガード３２と同形状で且つ溝部３４を有しないリムガード３３２を備えた構成とする。また、従来のタイヤ３１０のリムガード３３２以外の構成については、本例のものと同一とする。図５には、図１に示す本発明の第一実施形態に係るタイヤ１０と同一の構成については同一の符号を用いて示す。
【００９３】
そして、「通常走行時のタイヤ径方向の剛性」については、各タイヤの空気圧を２３０ｋＰａとして測定する。この「通常走行時のタイヤ径方向の剛性」は、通常走行時における乗り心地の指標となる。
【００９４】
また、「ランフラット走行時の撓み量」については、各タイヤのバルブコアを抜いてタイヤ空気圧を０ｋＰａとし、この状態で正規荷重を付加したときのタイヤ半径方向の撓み量（ｉｎｄｅｘ値）を直接的に計測することにより求める。
【００９５】
また、「ランフラット走行時のタイヤ周方向変形量」については、各タイヤのバルブコアを抜いてタイヤ空気圧を０ｋＰａとし、この状態で正規荷重を付加したときの踏み蹴り位置（タイヤ周方向に中心角度±１５°ずれた位置）での最大屈曲部のタイヤ周方向への変形量を直接的に計測することにより求める。
【００９６】
さらに、「ランフラット走行時の最大屈曲部の温度」については、ランフラット走行時のタイヤ外表面部の温度をサーモビジョンを用いて計測することにより求める。
【００９７】
また、「ランフラット走行距離」については、各タイヤのバルブコアを抜いてタイヤ空気圧を０ｋＰａとし、この状態で正規荷重を負荷して９０ｋｍ／ｈの速度にて故障が生じるまでドラム上を走行させたときの距離を計測することにより求める。
【００９８】
表１には各測定の結果を従来例のタイヤを１００とする指数で示す。
【００９９】
【表１】
2006168499.tif 000003
【０１００】
表１の結果から、実施例１，２，３のタイヤ１０，１１０，２１０は従来例の基準タイヤ３１０よりも「通常走行時のタイヤ径方向の剛性」が低いものとなった。このことから、実施例１，２，３のタイヤ１０，１１０，２１０は従来例の基準タイヤ３１０に比して正規空気圧での通常走行時における乗り心地が良好であることが得られる。
【０１０１】
また、実施例１，２，３のタイヤ１０．１１０．２１０は従来例の基準タイヤ３１０と「ランフラット走行時の撓み量」が同一の値となった。このことから、実施例１，２，３のタイヤ１０，１１０，２１０は従来例の基準タイヤ３１０と同様のタイヤ径方向の剛性を有することが得られる。
【０１０２】
また、実施例１，２，３のタイヤ１０，１１０，２１０は従来例の基準タイヤ３１０よりも「ランフラット走行時のタイヤ周方向変形量」が少ないものとなった。このことから、実施例１，２，３のタイヤ１０，１１０，２１０は従来例の基準タイヤ３１０に比してタイヤ周方向の剛性が高いことが得られる。
【０１０３】
さらに、実施例１，２，３のタイヤ１０，１１０，２１０は従来例の基準タイヤ３１０よりも「ランフラット走行時の最大屈曲部の温度」が低いものとなった。このことから、実施例１，２，３のタイヤ１０，１１０，２１０は従来例の基準タイヤ３１０に比してサイドゴム層２４のランフラット走行時における最大屈曲部Ｃにおける損傷が少なく、ランフラット走行時における耐久性が高いことが得られる。
【０１０４】
また、実施例１，２，３のタイヤ１０，１１０，２１０は従来例の基準タイヤ３１０よりも「ランフラット走行距離」が長いものとなった。このことから、実施例１，２，３のタイヤ１０，１１０，２１０は従来例の基準タイヤ３１０に比してランフラット走行時における耐久性が高く、ランフラット走行による走行可能距離を伸長させることができることが得られる。
【０１０５】
このように、本例のタイヤ１０，１１０，２１０によれば、正規空気圧での通常走行時における車両の乗り心地が損なわれることを防止でき、且つ、従来に比してランフラット走行時の耐久性を向上させて、ランフラット走行による走行可能距離を伸長させることができることを実証することができた。
【０１０６】
（改変例）なお、上記実施形態以外にも、リムガードの構成を次のように改変することができる。
【０１０７】
（１）上記実施形態では、ランフラット走行時にリムガード３２がホイールのリムに当接するか否かについて特に説明をしなかったが、ランフラット走行時にリムガード３２が不図示のホイールのリムに当接されるようにリムガード３２が所定の形状に形成されると共に所定の位置に形成される構成であっても良い。
【０１０８】
このようにすると、ランフラット走行時には、リムガード３２の溝部３４が閉じて外側突条部３２ａと内側突条部３２ｂとが強く当接すると共に、この外側突条部３２ａと内側突条部３２ｂが当接した状態でリムガード３２をホイールのリムに当接させることができるので、ランフラット走行時におけるタイヤ径方向の剛性をより高めることができる。
【０１０９】
これにより、ランフラット走行時の耐久性をより高めることができるので、ランフラット走行による走行可能距離をさらに伸長させることが可能となる。
【０１１０】
（２）また、上記実施形態では、サイドゴム層２４のランフラット走行時における最大屈曲部Ｃよりもタイヤ径方向内側の位置の外側面に、タイヤ軸方向外側に突出すると共にタイヤ周方向に沿って環状に延びる突条体により構成されたリムガード３２が形成されるように説明したが、その他にも、次のように構成しても良い。
【０１１１】
すなわち、タイヤサイド部のランフラット走行時における最大屈曲部の内側面に、タイヤ軸方向内側に突出すると共にタイヤ周方向に沿って環状に延びる突条体が形成され、この突条体に、タイヤ幅方向内側に開口すると共にタイヤ周方向に沿って延びる溝部が形成されていても良い。
【０１１２】
この構成によれば、正規空気圧での通常走行時には、タイヤに正規空気圧が充填されることによってタイヤサイド部が略平面状となるので、突条体の溝部が開いた状態に維持される。つまり、突条体の溝部を挟んだ両側に形成された外側突条部と内側突条部とが離間した状態に維持される。
【０１１３】
一方、タイヤがパンクして撓んだときには、このタイヤの撓みに伴ってタイヤサイド部のタイヤ内側にて突条体の溝部が閉じた状態となる。つまり、突条体の溝部を挟んだ両側に形成された外側突条部と内側突条部とが強く当接して互いにタイヤ径方向に支え合うようになり、タイヤ径方向の剛性が高められた状態となる。
【０１１４】
従って、この構成によっても、上記実施形態と同様に、車両の燃費の悪化することを防止することができると共に、正規空気圧での通常走行時における車両の乗り心地が損なわれることを防止でき、且つ、従来に比してランフラット走行時の耐久性を向上させて、ランフラット走行による走行可能距離を伸長させることが可能である。
【０１１５】
また、突条体をタイヤ内側に設けることにより、タイヤの外観性が損なわれることを防止することが可能である。
【０１１６】
（特許請求の範囲に記載の発明以外の技術的思想）
以上に述べた改変例により、特許請求の範囲に記載の発明以外にも、次の技術的思想を導き出すことができる。
【０１１７】
（１）第一の技術的思想は、請求項１乃至請求項４のいずれか一項に記載の空気入りタイヤにおいて、前記リムガードが、ランフラット走行時にホイールのリムに当接するように構成されたことを特徴するものである。
【０１１８】
このように、リムガードがランフラット走行時にホイールのリムに当接するように構成すると、上述のように、ランフラット走行時におけるタイヤ径方向の剛性をより高めることができるので好適である。
【０１１９】
（２）第二の技術的思想は、タイヤ周方向に沿って延びる一対のビードコアと、前記一対のビードコア間にトロイダル状に跨ると共にタイヤ幅方向両端側の部分が前記一対のビードコアのそれぞれに係止されたカーカスと、前記カーカスのタイヤ径方向外側に設けられてトレッド部を構成するトレッドゴム層と、前記カーカスのタイヤ軸方向外側に設けられてタイヤサイド部を構成するサイドゴム層と、前記サイドゴム層の内側にタイヤ周方向に沿って環状に設けられると共にタイヤ回転軸方向に沿って切断した断面形状が三日月状に構成されたサイド補強ゴム層と、を備えた空気入りタイヤにおいて、前記タイヤサイド部の内側面には、タイヤ軸方向内側に突出すると共にタイヤ周方向に沿って環状に延びる突条体が形成され、前記突条体には、タイヤ幅方向外側に開口すると共にタイヤ周方向に沿って延びる溝部が形成されていることを特徴とする空気入りタイヤである。
【０１２０】
この構成によれば、正規空気圧での通常走行時には、タイヤに正規空気圧が充填されることによってタイヤサイド部が略平面状となるので、突条体の溝部が開いた状態に維持される。つまり、突条体の溝部を挟んだ両側に形成された外側突条部と内側突条部とが離間した状態に維持される。
【０１２１】
一方、タイヤがパンクして撓んだときには、このタイヤの撓みに伴ってタイヤサイド部のタイヤ内側にて突条体の溝部が閉じた状態となる。つまり、突条体の溝部を挟んだ両側に形成された外側突条部と内側突条部とが強く当接して互いにタイヤ径方向に支え合うようになり、タイヤ径方向の剛性が高められた状態となる。
【０１２２】
従って、この構成によっても、上記実施形態と同様に、車両の燃費の悪化することを防止することができると共に、正規空気圧での通常走行時における車両の乗り心地が損なわれることを防止でき、且つ、従来に比してランフラット走行時の耐久性を向上させて、ランフラット走行による走行可能距離を伸長させることが可能である。
【０１２３】
また、突条体をタイヤ内側に設けることにより、タイヤの外観性が損なわれることを防止することが可能である。
【図面の簡単な説明】
【０１２４】
【図１】図１は本発明の第一実施形態に係るタイヤの構成を示す図である。
【図２】図２は本発明の第二実施形態に係るタイヤの構成を示す図である。
【図３】図３は本発明の第三実施形態に係るタイヤの構成を示す図である。
【図４】図４は本発明の第一実施形態に係るタイヤのランフラット走行時の変形状態を示す説明図である。
【図５】図５は従来技術に係るタイヤの構成を示す図である。
【符号の説明】
【０１２５】
１０、１１０，２１０  空気入りタイヤ
１２  ビードコア
１４  カーカス
２２  トレッドゴム層
２４  サイドゴム層
２６  サイド補強ゴム層
３２，１３２，２３２  リムガード
３４  溝部
１３６  分割溝
２３６，２３８  スリット
Ａ  トレッド部
Ｂ  タイヤサイド部
Ｃ  最大屈曲部
【図１】
2006168499.tif 000004
【図２】
2006168499.tif 000005
【図３】
2006168499.tif 000006
【図４】
2006168499.tif 000007
【図５】
2006168499.tif 000008